(57)【特許請求の範囲】
【請求項１】
重ね合わせ面を剥離可能に接着し、この重ね合わせ面に表示される通知情報を隠蔽する隠蔽情報所持体を作成するための重ね合わせシートであって、重ね合わせ片を折り部または切り部を介して連接してなり、隣接する重ね合わせ片の一つのコーナー部に剥離開始部を設け、前記各重ね合わせ片の重ね合わせ面には、そのほぼ全面に弱接着部を設ける一方、その周縁部における所定部分に点状の強接着部を互いに間隔を置いて複数集合配置して強接着部群を形成し、この強接着部群を前記各重ね合わせ面の周縁部における所定部分に互いに間隔を置いて複数設けてなることを特徴とする重ね合わせシート。
【発明の詳細な説明】
【技術分野】
【０００１】
本発明は、折り重ね、あるいは切り重ねして、重ね合わせ面を剥離可能に接着する重ね合わせシートに関し、特に、重ね合わせ面に表示した通知情報を隠蔽状態で通知しうる葉書、通知書、カードなどの隠蔽情報所持体を作成するための重ね合わせシートに関する。
【背景技術】
【０００２】
従来から、重ね合わせ面に接着後に剥離可能な弱接着剤を塗布した重ね合わせシートは知られている。しかしながら、前記弱接着剤の接着力が強すぎると接着した後の重ね合わせ面の剥離が困難になる一方、弱すぎると葉書などが通知先に届く前に不用意に重ね合わせ面が剥離してしまい、この重ね合わせ面に表示した通知情報が露出して他人に視認される虞がある。このように、重ね合わせ面の確実な接着を保証するとともに、必要時には容易に剥離可能とすることが求められる前記弱接着剤の接着力の調整は困難であった。
【０００３】
従来においては、この弱接着剤の接着力の微妙な調整を不要とするための方策として、重ね合わせ面の周縁部に、接着後に剥離困難な強接着剤を塗布し、この強接着剤塗布部分の内側に切り用ミシン目を設けて、重ね合わせ面の弱接着剤塗布部分は剥離可能に、強接着剤塗布部分は剥離困難に接着し、重ね合わせ面の剥離に際しては、前記切り用ミシン目を破断して強接着部分を除去するよう構成した重ね合わせシートが提案されている（特許文献１）。
【先行技術文献】
【特許文献】
【０００４】
【特許文献１】特開平６−７２０７４号公報
【発明の概要】
【発明が解決しようとする課題】
【０００５】
しかし、この従来の重ね合わせシートは、重ね合わせ面の通知情報は切り用ミシン目の内側部分に表示しなければならないという制約を受けるので、通知情報表示領域を十分に確保できないという不都合がある。本発明は、この不都合を解消し、さらには、取扱中に重ね合わせ面が不用意に剥離することを防止する一方、必要時の剥離動作の容易性を確保した重ね合わせシートを提供することを目的とする。
【課題を解決するための手段】
【０００６】
この目的を達成するため本発明の請求項１に係る重ね合わせシートは、重ね合わせ面を剥離可能に接着し、この重ね合わせ面に表示される通知情報を隠蔽する隠蔽情報所持体を作成するための重ね合わせシートであって、重ね合わせ片を折り部または切り部を介して連接してなり、隣接する重ね合わせ片の一つのコーナー部、好ましくは、前記折り部または切り部と反対側の一方のコーナー部に剥離開始部を設け、前記各重ね合わせ片の重ね合わせ面には、そのほぼ全面に弱接着部を設ける一方、その周縁部における所定部分に点状の強接着部を互いに間隔を置いて複数集合配置して強接着部群を形成し、この強接着部群を前記各重ね合わせ面の周縁部における所定部分に互いに間隔を置いて複数設けてなるものである。ここで点状とは、直径が３ｍｍ以下、好ましくは２ｍｍ程度の小円をいう。
【発明の効果】
【０００８】
本発明の請求項１に係る重ね合わせシートによれば、通知情報の表示領域が制限されずに、重ね合わせ面全体を利用することができ、また、複数の強接着部によって重ね合わせ面が不用意に剥離することを防止できるほか、強接着部は点状なので重ね合わせ面の剥離方向に関係なく円滑かつ確実な剥離動作が保証され、さらには、前記点状の強接着部を複数集合配置してなる強接着部群を形成したので、強接着部が複数集合することにより散在状態よりも十分な剥離防止効果を有するとともに、各強接着部が互いに間隔をおいて配置されているので剥離動作に対する抵抗力は、散在状態と同様であり、剥離動作に支障をきたさないという効果を奏する。
【図面の簡単な説明】
【０００９】
【図１】本発明の好適な実施形態である葉書用重ね合わせシートの表面側を示す概略的な平面図。
【図２】図１のＡ−Ａ線断面図。
【図３】強接着部群を拡大して示す概略的な平面図。
【図４】作成した葉書の表面側を示す概略的な平面図。
【図５】同じく裏面側を示す概略的な平面図。
【図６】同じく重ね合わせ面の一部を剥離した状態を示す概略的な斜視図。
【発明を実施するための形態】
【００１０】
以下、本発明を隠蔽情報所持体たる重ね合わせ葉書を作成するための葉書用重ね合わせシートに適用した場合の好適な実施形態について説明する。
【００１１】
図１及び図２に示すように、葉書用重ね合わせシート１は、同一大の宛名表示片２と第１通知情報表示片３と第２通知情報表示片４とを、それぞれ折り部たる折り用ミシン目５，６を介して連接してなる。前記宛名表示片２の表面側が葉書作成時に宛名情報１８（図４参照）を表示する宛名表示面であり、前記各通知情報表示片３，４の表面側が第１の重ね合わせ面である。また、前記第１通知情報表示片３と前記宛名表示片２の裏面側が第２の重ね合わせ面である。これら各重ね合わせ面には、接着後に剥離可能な接着力を有する弱接着剤７が全面的に塗布されて、弱接着部を構成している。
【００１２】
図１，図４及び図５に示すように、宛名表示片２と第２通知情報表示片４における折り用ミシン目５，６とは反対側の下端コーナー部には、三角形状に切り欠かれてなる剥離開始部８，９が設けられている。前記宛名表示片２の表面側と前記第２通知情報表示片４の裏面側、すなわち葉書作成時の各表出面には、これら剥離開始部８，９から剥離方向に向けた矢印と「矢印の方向にめくり上げて下さい」という指示文からなる剥離開始指示表示１０，１１があらかじめ印刷されている。また、第２通知情報表示片４の前記剥離開始指示表示１１の上方には、葉書の差出人を示す差出人表示１２があらかじめ印刷されている。
【００１３】
図１及び図２に示すように、葉書用重ね合わせシート１の両側には、切り用ミシン目１３ａ，１３ｂを介してそれぞれマージナル部１４ａ，１４ｂが設けられ、各マージナル部１４ａ，１４ｂにはマージナル孔１７ａ，１７ｂが等間隔に多数設けられている。なお、図示してはいないが、葉書用重ね合わせシート１は、各ミシン目５，６，１３ａ，１３ｂの延びる方向に折り兼切り用ミシン目を介して多数連接された連続状態にある。
【００１４】
上述した弱接着剤７は、通常では接着せず、圧、熱などの所定の条件が付与されると接着可能となるもので、印字あるいは印刷が可能なものである。この弱接着剤７としては、例えば、感圧性で一旦接着すると再剥離困難な非剥離性接着剤基剤に、この非剥離性接着剤基剤に対して非親和性を示す微粒状充填剤を配合してなるものがある。
【００１５】
図１に示すように、第２通知情報表示片４の重ね合わせ面における折り用ミシン目６側を除いた三周縁には、剥離開始部９端を除いて、強接着部群１５を互いに間隔を置いて多数設けている。これら強接着部群１５は、図３に示すように、点状の強接着部１６を互いに間隔を置いて、長方形状に複数集合配置してなるものである。各強接着部１６は、直径約２ｍｍの小円からなる点状に形成されている。なお、図示してはいないが、宛名表示片２の重ね合わせ面にも、第２通知情報表示片４の重ね合わせ面と同様に、強接着部群１５が設けられている。
【００１６】
強接着部１６を構成する接着剤は、通常では接着せず、上述の弱接着剤７と同一の条件が付与されると接着可能なものが好ましく、また、印字あるいは印刷が可能なものである。この接着剤としては、例えば、感圧性で一旦接着すると再剥離困難な非剥離性接着剤がある。このように、強接着部１６を構成する接着剤は非剥離性ではあるが、強接着部１６は直径約２ｍｍの小円からなる点状に形成されているので、所定以上の剥離力が付与されると剥離可能である。
【００１７】
続いて、以上のように構成した葉書用重ね合わせシート１から図４及び図５に示す葉書２１を作成する手順について説明する。まず、連続状態にある図１及び図２状態の葉書用重ね合わせシート１を、マージナル孔１７ａ，１７ｂを図示しない適宜なプリンタのトラクタにかけて所定方向に移送しながら、宛名表示片２の表面側には宛名情報１８を印字し、第１通知情報表示片３と第２通知情報表示片４の重ね合わせ面には、前記宛名情報１８の宛名人に隠蔽状態で通知すべき通知情報１９，２０（図６参照）を印字する。また、前記宛名表示片２と前記第１通知情報表示片３との重ね合わせ面にも、通知情報（図示せず）を印字する。
【００１８】
次いで、各重ね合わせ面同士が対接するよう折り用ミシン目５，６でＺ字状に折り重ね、各マージナル部１４ａ，１４ｂを切り用ミシン目１３ａ，１３ｂで切断除去し、連続状態にある折り重ねた葉書用重ね合わせシート１を単位シート毎に切断分離する。さらに続いて、加圧ローラーなどによって所定の圧を加えて各重ね合わせ面を弱接着剤７と強接着部群１５によって接着すると、図４及び図５に示す葉書２１となる。
【００１９】
このように作成した葉書２１は、通常の官製葉書と同様に使用可能である。この使用に際しては、葉書２１の各重ね合わせ面は、折り用ミシン目５，６側を除く三周縁が強接着部群１５で接着されているため、一連の郵送作業中に不用意に剥離されることがない。一方、葉書２１を受領した宛名人は、剥離開始指示表示１０にしたがって、宛名表示片２の剥離開始部８端を摘んで、対角上に位置する折り用ミシン目５側のコーナー部に向けてめくり上げ、続いて徐々に前記折り用ミシン目５に向けてめくり上げることにより、第１通知情報表示片３との重ね合わせ面を剥離して、この重ね合わせ面に表示された通知情報（図示せず）を視認することができる。
【００２０】
また、同様に、宛名人は剥離開始指示表示１１にしたがって、第２通知情報表示片４の剥離開始部９端を摘んで、対角上に位置する折り用ミシン目６側のコーナー部に向けてめくり上げ、続いて徐々に前記折り用ミシン目６に向けてめくり上げることにより、第１通知情報表示片３との重ね合わせ面を剥離して、この重ね合わせ面に表示された通知情報１９，２０を視認することができる（図６参照）。
【００２１】
この剥離動作にあたっては、各強接着部群１５による接着部分で抵抗を受けるが、これら強接着部群１５は、図３に示すように、点状の強接着部１６が間隔を置いて複数集合してなるものであるから、各強接着部１６単独での接着力はさほど強いものではなく、また、点状であるからいずれの方向から剥離力が加わっても抵抗力に強弱はなく、各強接着部１６における接着は順次剥離されていくものである。
【００２２】
なお、本発明は、上述の実施形態に限定されるものではなく、例えば、強接着部群１５は、強接着部１６を長方形状に集合させて形成するほか、円形状や三角形等の多角形状に集合させて形成してもよい。三角形状の場合には、頂角を３０度より小さな鋭角二等辺三角形として、頂角の二等分線が重ね合わせ面の剥離方向と平行に延びるよう配置すると、剥離時の抵抗がより小さくなって好適である。また、感圧性である弱接着剤７の塗布厚を厚くして強接着部１６を形成してもよい。
【００２３】
またさらに、接着手段としては、接着剤によるほか、二枚のフィルムを剥離可能に疑似接着するとともに、強接着部はフィルムの接着強度を高めて構成したり、層間剥離可能にニス層を積層するとともに、強接着部は層間の接着強度を高めて構成することもできる。さらにまた、重ね合わせシート１は葉書作成用に限らないほか、二つ折りや切り重ねするものでもよい。この切り重ねの場合には、強接着部１６は、一方の重ね合わせ面の四周縁に設けるものである。
【符号の説明】
【００２４】
１      葉書用重ね合わせシート
２      宛名表示片
３      第１通知情報表示片
４      第２通知情報表示片
５，６      折り用ミシン目
７      弱粘着剤
８，９      剥離開始部
１０，１１      剥離開始指示表示
１５      強接着部群
１６      強接着部
２１      葉書
【図１】
0005543275.tif 000002
【図２】
0005543275.tif 000003
【図３】
0005543275.tif 000004
【図４】
0005543275.tif 000005
【図５】
0005543275.tif 000006
【図６】
0005543275.tif 000007